(57)【要約】      （修正有）【課題】増毛作業において、作業に伴う動線を短くし、作業時間の短縮を図り、保持具自体のハンドリングも容易な増毛用毛髪保持具を提供する。【解決手段】矩形の発泡スチロール１に１０個のノッチ２を形成し、ここに１０本の毛髪をセットし、発泡スチロールの底面には、帯ファスナー４を取り付けることによって、例えば作業者のエプロン、あるいはお客の頭髪に直接固定設置できることから、作業者の動線が短くなり、作業効率、および作業の確実性を向上させることができる。【選択図】図１
0003199028.tif 000002
【実用新案登録請求の範囲】
【請求項１】
１０ヶ所にノッチが入った矩形の発泡スチロールであり、その各ノッチ一つに１本の毛髪を挿入して保持するとともに、底面には帯ファスナーが取り付けられていることを特徴とする増毛用毛髪保持具。
【請求項２】
請求項１に記載した矩形の発泡スチロールは、発泡エチレン、発泡ポリプロピレンを使用しても良く、また、矩形ではなく、三角形、あるいはかまぼこ型であっても良いことを特徴とする増毛用毛髪保持具。
【請求項３】
請求項１に記載した帯ファスナーとしては、いわゆるマジックテープと言われている商品でも良く、あるいは髪の毛にまとわりつくタイプのものであっても良く、作業者あるいはお客さまの近傍に取り付けることによって作業性を向上させることができることを特徴とする増毛用毛髪保持具。
【考案の詳細な説明】
【技術分野】
【０００１】  薄毛は、男女区別なく美容という観点から問題であり、その印象から対人関係にもからんでくる。そのため、増毛が美容の一つの大きな事業になってあり、また課題も多い。
【背景技術】
【０００２】  増毛の方法として、現在よく行われている方法は、自毛をベースとして、そこに外部から毛をからませることによって、一本の毛から１−４本の毛を付属させることによって２−５倍の毛の量にするという方法である。【０００３】  作業者は、お客の自毛を一本ずつ探し出し、ここに増毛を施す。【０００４】  従って、作業自体非常に細やかな作業となり、作業の効率化が課題になっている。
【課題を解決する手段】
【０００５】  現在の増毛用毛髪の供給方法としては、シート状の毛髪ホルダーに毛髪を並べて、そこから一本ずつ毛髪を抜き取って作業するという方法が採られている。
【０００６】  しかし、この方法によれば毛髪ホルダーを作業者近傍に置いてそこから一本ずつを抜き取ることになり、その作業の動線はかなり長くなっている。また、毛髪ホルダーの設置場所、設置の方法が問題である。
【０００７】  この動線を短くすることによって作業効率が向上するとともにその確実性が向上することが期待できる。
【０００８】  その方法として、例えば１０本の増毛用毛髪を一束にした毛髪用保持具で、それ作業者の衣服、あるいは作業用エプロンに付着させる、あるいはお客の頭髪に付着させるという手法を採用することによって、作業者が体をひねって毛髪を取ったりする動作を省くことができるとともに、動線が極端に短くなるので、作業効率が著しく向上する。
【０００９】  この衣服、エプロン、あるいは頭髪に付着させる方法としては、毛髪をセットした毛髪用保持具の一面に、帯ファスナーを設置することによって実現できる。帯ファスナー部分は、脱着可能という性質があり、操作は容易であり、例えば宇宙船の中での書類、部品などの一次固定などに使用されている。
【００１０】  毛髪をセットする毛髪用保持具の形成方法としでけ、１０ヶ所にノッチの入った矩形の発泡スチロールを用意し、ノッチの一ヶ所につき、一本の毛髪を挟みこんだ形とするが、そのサー素材としては、それ以外に発泡エチレン、発泡ポリプロピレンを使用しても良く、また、矩形ではなく、三角形、あるいはかまぼこ型であっても良い。
【００１１】  また、その毛髪用保持具の材料としては、三角形に形成した厚紙でもよい。
【００１２】  １０本の毛髪を１セットとすることによって、その毛髪用保持具の数を数えることによって何本の増毛を行ったかの確認が容易になる特徴を持っている。例えば、５０セットを使用した場合には、５００本の増毛を行ったということがわかるので、お客が容易に確認できることになる。
【考案の効果】
【００１３】  上に述べたように、動線が短くなり、作業時間の著しい短縮が図られる。また、保持具自体のハンドリングも容易であって、このことも作業効率の向上に大いに貢献する。また、手元近傍に保持具が置かれ、しかも固定されていることから作業の確実性も向上することから、短時間で作業を終了できることから客サービスとしても非常に向上し、また、客の回転も良くなることから事業への貢献度も高いものとなる。
【実施例１】
【００１４】  この増毛用毛髪保持具を作業者のエプロンのみぞおち部分に付着させて増毛作業を行ったところ、従来の方法では１０本の増毛について、２０秒を要していたものが、１５秒に短縮できた。また、増毛数の確認も容易で、お客に好評だった。
【実施例２】
【００１５】  この増毛用毛髪保持具をお客の頭髪に付着させて増毛作業を行ったところ、従来の方法では、１０本の増毛に２０秒が必要であったが、この方法によれば１５秒で終了できた。
【図面の簡単な説明】
【００１６】
【図１】毛髪保持具
【符号の説明】
【００１７】１  発泡スチロール製の本体
２  ノッチ
３  増毛用毛髪
４  帯ファスナー
【図１】
0003199028.tif 000003
【手続補正書】
【提出日】平成27年2月25日(2015.2.25)
【手続補正１】
【補正対象書類名】実用新案登録請求の範囲
【補正対象項目名】全文
【補正方法】変更
【補正の内容】
【実用新案登録請求の範囲】
【請求項１】
［１０ヶ所にノッチが入った矩形の発泡スチロールであり、その各ノッチ一つに１本の毛髪を挿入して保持するとともに、底面には帯ファスナーが取り付けられていることを特徴とする増毛用毛髪保持具。］
１０ヶ所にノッチが入った矩形の発泡スチロール、あるいは発泡エチレン、発泡ポリプロピレンであり、その各ノッチ一つに１本の毛髪を挿入して保持するとともに、底面には帯ファスナーが取り付けられていることを特徴とする増毛用毛髪保持具。
【請求項２】
［請求項１に記載した矩形の発泡スチロールは、発泡エチレン、発泡ポリプロピレンを使用しても良く、また、矩形ではなく、三角形、あるいはかまぼこ型であっても良いことを特徴とする増毛用毛髪保持具。］
請求項１に記載した増毛用毛髪機具において、形状として矩形、あるいは三角形、かまぼこ型であることを特徴とする増毛用毛髪保持具。
【請求項３】
［請求項１に記載した帯ファスナーとしては、いわゆるマジックテープと言われている商品でも良く、あるいは髪の毛にまとわりつくタイプのものであっても良く、作業者あるいはお客さまの近傍に取り付けることによって作業性を向上させることができることを特徴とする増毛用毛髪保持具。］
請求項１に記載した帯ファスナーとしては、面ファスナー、あるいは髪の毛にまとわりつくタイプのものであって、作業者あるいはお客さまの近傍に取り付けることによって作業性を向上させることができることを特徴とする増毛用毛髪保持具。
【手続補正書】
【提出日】平成27年5月22日(2015.5.22)
【手続補正１】
【補正対象書類名】実用新案登録請求の範囲
【補正対象項目名】全文
【補正方法】変更
【補正の内容】
【実用新案登録請求の範囲】
【請求項１】
１０ヶ所にノッチが入った発泡スチロール、あるいは発泡エチレン、発泡ポリプロピレンであり、その各ノッチ一つに１本の毛髪を挿入して保持するとともに、底面には帯ファスナーが取り付けられていることを特徴とする増毛用毛髪保持具。
【請求項２】
請求項１に記載した増毛用毛髪保持具において、発泡スチロール、あるいは発泡エチレン、発泡ポリプロピレンの形状として矩形、あるいは三角形、かまぼこ型であることを特徴とする増毛用毛髪保持具。
【請求項３】
請求項１に記載した帯ファスナーとしては、面ファスナー、あるいは髮の毛にまとわりつくタイプのものであって、作業者あるいはお客さまの近傍に取り付けることによって作業性を向上させることができることを特徴とする増毛用毛髪保持具。